(57)【特許請求の範囲】
【請求項１】
フレキシブルスクリーンの曲げ試験方法であって、
フレキシブルスクリーンを固定装置に連結することによって二個の連結端を形成するステップと、
前記フレキシブルスクリーンに対して押圧試験を行うステップとを含み、
前記フレキシブルスクリーンに対して押圧測定を行うステップは、前記固定装置を移動させることにより該固定装置の連結端の間の距離を変化させ、この距離を前記フレキシブルスクリーンの二個の連結端の間の長さより小さくするか或いは等しくし、
前記二個の連結端がまず前記二個の連結端の連結線方向と異なる方向である第一方向に前記固定装置を移動させることにより前記フレキシブルスクリーンを押圧した後、次に前記第一方向と前記フレキシブルスクリーンの側辺とに垂直し且つ前記二個の連結端の連結線方向と異なる方向である第二方向に移動させることにより、
前記フレキシブルスクリーンを押圧することを含むフレキシブルスクリーンの曲げ試験方法。
【請求項２】
前記二個の連結端の連結線方向に前記フレキシブルスクリーンを押圧する前記ステップは、前記二個の連結端の連結線方向に前記固定装置を所定の幅移動させ、前記フレキシブルスクリーンを所定の回数押圧することを含み、前記所定の幅の数量は複数である請求項１に記載のフレキシブルスクリーンの曲げ試験方法。
【請求項３】
前記フレキシブルスクリーンを押圧するステップは、前記固定装置を第一方向に所定の幅移動させることにより前記フレキシブルスクリーンを第一の所定回数押圧した後、前記固定装置を第二方向に設定の幅移動させることにより前記フレキシブルスクリーンを第二の所定回数押圧することを含む請求項１に記載のフレキシブルスクリーンの曲げ試験方法。
【請求項４】
前記所定の幅の数量が複数であるとともに／或いは前記設定の幅の数量が複数である請求項３に記載のフレキシブルスクリーンの曲げ試験方法。
【請求項５】
前記二個の連結端はそれぞれ前記フレキシブルスクリーンの対向する両側に位置し、前記二個の連結端の連結線は前記フレキシブルスクリーンの側辺に垂直である請求項１ないし請求項４のいずれか１項に記載のフレキシブルスクリーンの曲げ試験方法。
【請求項６】
フレキシブルスクリーンの曲げ試験システムであって、
フレキシブルスクリーンと連結して二個の連結端を形成するために用いる固定装置と、押圧装置と、を含み、
前記押圧装置は、前記固定装置を移動させることにより前記固定装置の連結端の間の距離を変化させ、この距離を前記フレキシブルスクリーンの二個の連結端の間の長さより小さくするか或いは等しくすることにより前記フレキシブルスクリーンを押圧し、
前記二個の連結端がまず前記二個の連結端の連結線方向と異なる方向である第一方向に前記固定装置を移動させることにより前記フレキシブルスクリーンを押圧した後、次に前記第一方向と前記フレキシブルスクリーンの側辺とに垂直し且つ前記二個の連結端の連結線方向と異なる方向である第二方向に移動させることにより、前記フレキシブルスクリーンを押圧する
フレキシブルスクリーンの曲げ試験システム。
【請求項７】
前記固定装置は第一治具と第二治具を含み、前記第一治具と前記第二治具はそれぞれ前記フレキシブルスクリーンの対向する両側と連結することにより二個の連結端を形成する請求項６に記載のフレキシブルスクリーンの曲げ試験システム。
【請求項８】
前記押圧装置は、固定用フレームと、伸縮可能な第一棒体及び第二棒体と、第一ベース及び第二ベースとを含み、
前記第一棒体の一端と第二棒体の一端はそれぞれ前記第一治具と第二治具に連結され、
前記第一ベースと第二ベースは、前記固定用フレームに設けられかつ当該固定用フレームに対して第二方向へ移動することができ、それぞれ前記第一棒体及び第二棒体の他端に連結されることにより、前記第一棒体及び第二棒体の延伸長さを制御して二個の連結端の連結線方向に前記フレキシブルスクリーンを押圧し、互いに垂直である方向に移動して前記フレキシブルスクリーンを押圧する請求項７に記載のフレキシブルスクリーンの曲げ試験システム。
【請求項９】
前記第一治具及び第二治具は、それぞれ前記第一棒体及び第二棒体と可動式で連結する請求項８に記載のフレキシブルスクリーンの曲げ試験システム。
【発明の詳細な説明】
【技術分野】
【０００１】
本発明は、フレキシブル部品の測定技術に関し、特にフレキシブルスクリーンの曲げ試験方法及び曲げ試験システムに関するものである。
【背景技術】
【０００２】
柔軟性表示装置は、柔軟な材料で形成され、変形及び湾曲が可能である表示装置である。柔軟性表示装置は、紙のように薄く、かつ電気を切っても内容が消えないので、「電子紙」とも言われる。柔軟性表示装置は極めて薄く、電気消耗が少なく、変形可能な特徴を有しているので、携帯型電子設備に広く応用されている。柔軟性表示装置のフレキシブルスクリーンの湾曲性能が柔軟性表示装置の品質に直接影響を与えるので、フレキシブルスクリーンの湾曲特性を評価する必要がある。通常フレキシブルスクリーンに対して押圧湾曲測定を行った後、フレキシブルスクリーンの湾曲性能を測定する。
【０００３】
従来のフレキシブルスクリーンの曲げ試験方法及び曲げ試験装置は、ローラ式曲げ装置を採用することによりフレキシブルスクリーンを機械的に曲げる。具体的に、曲率が同様であるか或いは異なる複数個のローラでフレキシブルスクリーンを搬送することによりフレキシブルスクリーンを曲げる。一個のローラでフレキシブルスクリーンを搬送する場合、所定の部品でフレキシブルスクリーンを押圧することによりフレキシブルスクリーンを曲げる必要がある。複数個のローラでフレキシブルスクリーンを搬送する場合、牽引装置でフレキシブルスクリーンを牽引することにより、フレキシブルスクリーンを複数個のローラの間で移動させる必要がある。ローラでフレキシブルスクリーンを搬送するとともに曲げる方法は、測定のコストが高い欠点を有している。
【発明の概要】
【発明が解決しようとする課題】
【０００４】
そのため、測定のコストを下げることができるフレキシブルスクリーンの曲げ試験方法及び曲げ試験システムを提供する必要がある。
【課題を解決するための手段】
【０００５】
フレキシブルスクリーンの曲げ試験方法であって、フレキシブルスクリーンを固定装置に連結することによって二個の連結端を形成するステップと、前記フレキシブルスクリーンに対して押圧試験を行うステップとを含む。押圧試験を行うステップは、前記固定装置を移動させることにより、該固定装置の連結端の間の距離を変化させこの距離を前記フレキシブルスクリーンの二個の連結端の間の長さより小さくするか或いは等しくすることを含む。
【０００６】
本発明の一実施例において、前記フレキシブルスクリーンに対して押圧試験を行うステップは、二個の連結端の連結線方向に沿ってフレキシブルスクリーンを押圧するステップ、或いは互いに平行である方向に前記固定装置を移動させることによりフレキシブルスクリーンを押圧するステップを含む。
【０００７】
本発明の一実施例において、前記二個の連結端の連結線方向に沿って前記フレキシブルスクリーンを押圧する前記ステップは、前記二個の連結端の連結線方向に沿って前記固定装置を所定の幅移動させ、前記フレキシブルスクリーンを所定の回数押圧することを含む。前記所定の幅の数量は複数である。
【０００８】
本発明の一実施例において、互いに平行である前記方向に前記固定装置を移動させることにより前記フレキシブルスクリーンを押圧するステップは、まず互いに平行である第一方向に沿って前記固定装置を移動させることにより前記フレキシブルスクリーンを押圧した後、次に互いに平行である第二方向に沿って前記固定装置を移動させることにより前記フレキシブルスクリーンを押圧することを含む。前記第一方向と前記第二方向は垂直である。
【０００９】
本発明の一実施例において、前記フレキシブルスクリーンを押圧試験するステップは、前記固定装置を第一方向に所定の幅移動させることにより前記フレキシブルスクリーンを第一の所定回数押圧した後、前記固定装置を第二方向に設定の幅移動させることにより前記フレキシブルスクリーンを第二の所定回数押圧することを含む。
【００１０】
本発明の一実施例において、前記所定の幅の数量が複数であるとともに／或いは前記設定の幅の数量が複数である。
【００１１】
本発明の一実施例において、前記二個の連結端はそれぞれ前記フレキシブルスクリーンの対向する両側に位置し、前記二個の連結端の連結線は前記フレキシブルスクリーンの側辺に垂直である。
【００１２】
フレキシブルスクリーンの曲げ試験システムであって、固定装置と押圧装置を含み、前記固定装置はフレキシブルスクリーンと連結して二個の連結端を形成するために用いる。押圧装置は、前記固定装置を移動させることにより前記固定装置の連結端の間の距離を変化させ、この距離を前記フレキシブルスクリーンの二個の連結端の間の長さより小さくするか或いは等しくすることにより前記フレキシブルスクリーンを押圧する。
【００１３】
本発明の一実施例において、前記固定装置は第一治具と第二治具を含み、前記第一治具と前記第二治具はそれぞれ前記フレキシブルスクリーンの対向する両側と連結して二個の連結端を形成する。
【００１４】
本発明の一実施例において、前記押圧装置は、固定用フレームと、伸縮可能な第一棒体及び第二棒体と、第一ベース及び第二ベースとを含む。前記第一棒体の一端と第二棒体の一端はそれぞれ前記第一治具と第二治具に連結される。前記第一ベースと第二ベースは、前記固定用フレームに設けられかつ当該固定用フレームに相対して移動することができる。前記第一ベースと第二ベースがそれぞれ前記第一棒体及び第二棒体の他端に連結されることにより、前記第一棒体及び第二棒体の延伸長さを制御し、二個の連結端の連結線方向に沿って前記フレキシブルスクリーンを押圧するか或いは互いに平行である方向に移動して前記フレキシブルスクリーンを押圧する。
【００１５】
本発明の一実施例において、前記第一治具及び第二治具は、それぞれ前記第一棒体及び第二棒体と可動式で連結する。
【発明の効果】
【００１６】
上述したフレキシブルスクリーンの曲げ試験方法及び曲げ試験システムは、フレキシブルスクリーンを固定装置に連結することにより二個の連結端を形成する。固定装置を移動させることにより、固定装置の連結端の間の距離を変化させ、この距離をフレキシブルスクリーンの二個の連結端の間の長さより小さくするか或いは等しくする。これによりフレキシブルスクリーンに対して押圧試験を行う。固定装置を移動させることでフレキシブルスクリーンの押圧試験を行うことにより、フレキシブルスクリーンの使用環境を真似し、従来のフレキシブルスクリーンの曲げ試験方法と曲げ試験装置より測定コストを下げることができる。
【図面の簡単な説明】
【００１７】
【図１】本発明の実施例に係るフレキシブルスクリーンの曲げ試験方法の流れを示すフローチャートである。
【図２Ａ】本発明の実施例に係るフレキシブルスクリーンの曲げ試験システムの作動状態を示す図である。
【図２Ｂ】本発明の実施例に係るフレキシブルスクリーンの曲げ試験システムの作動状態を示す図である。
【図２Ｃ】本発明の実施例に係るフレキシブルスクリーンの曲げ試験システムの作動状態を示す図である。
【図３Ａ】本発明の他の実施例に係るフレキシブルスクリーンの曲げ試験システムの作動状態を示す図である。
【図３Ｂ】本発明の他の実施例に係るフレキシブルスクリーンの曲げ試験システムの作動状態を示す図である。
【図３Ｃ】本発明の他の実施例に係るフレキシブルスクリーン曲げ試験システムの作動状態を示す図である。
【発明を実施するための形態】
【００１８】
本発明の上述した目的、特徴及びメリットをより詳細に理解させるため、以下図面により本発明の具体的な実施形態について詳細に説明する。下記で説明する具体的な事項により本発明を充分に理解することができる。しかし、本発明は下記実施形態と異なる色々な実施形態で実施することができるので、本技術分野の技術者は本発明の要旨を逸脱しない範囲内で色々な変更を行うことができる。すなわち、本発明は下記具体的な実施形態に限定されるものではない。
【００１９】
ここで説明したいことは、部品が他の部品に「固定される」という場合、この部品が他の部品に直接に固定されるか或いはその間に他の部品が存在することを意味することができる。また、部品が他の部品に「連結される」という場合、この部品が他の部品に直接に連結されるか或いはその間に他の部品が存在することを意味することができる。
【００２０】
他の説明がない限り、本文で使用するすべての技術用語及び科学用語の意味は、本発明の技術分野の技術者が通常使用している用語の意味と同じである。本発明の明細書で使用する用語は、本発明の具体的な実施例を説明するものであり、本発明の範囲を限定するものではない。本文で使用する用語「及び／或いは」は、一個或いは複数個の関連要素のいずれかの組合せ或いはすべての組合せを含むことを意味する。
【００２１】
フレキシブルスクリーンの曲げ試験方法は、図１に示すとおり、以下のステップを含む。
【００２２】
ステップＳ１１０において、フレキシブルスクリーンを固定装置に連結することにより二個の連結端を形成する。
【００２３】
フレキシブルスクリーンと固定装置との間の連結は、点連結、線連結或いは面連結であることができる。したがって、固定装置に形成された二個の連結端は、連結点、連結線或いは連結面であることができる。
【００２４】
本実施例において、二個の連結端はそれぞれ、フレキシブルスクリーンの対向する両側に位置し、二個の連結端の連結線はフレキシブルスクリーンの側辺に垂直である。したがって、フレキシブルスクリーンの押圧試験を行うとき、連結線の両側においてフレキシブルスクリーンが受ける力が均等になることを確保し、押圧試験の効率を向上させることができる。また、フレキシブルスクリーンが不均等な力を受けることによって壊れることも避けることができる。
【００２５】
ステップＳ１２０において、フレキシブルスクリーンに対して押圧試験を行う。
【００２６】
固定装置を移動させることにより、固定装置の連結端の間の距離を変化させ、この距離をフレキシブルスクリーンの二個の連結端の間の長さより小さくするか或いは等しくする。フレキシブルスクリーンに対して押圧試験を行い、フレキシブルスクリーンの実際の使用環境を真似する。
【００２７】
本発明の一実施例において、フレキシブルスクリーンに対する押圧試験は、二個の連結端の連結方向にフレキシブルスクリーンを押圧するか、或いは互いに平行である方向に固定装置を移動させることによりフレキシブルスクリーンを押圧することである。
【００２８】
二個の連結端の連結線方向に沿ってフレキシブルスクリーンを押圧することによりフレキシブルスクリーンを曲げるとき、フレキシブルスクリーンが「Ｕ」形に曲がることが想定される。二個の連結端の連結線方向に沿ってフレキシブルスクリーンを押圧するステップは、二個の連結端の連結線方向に沿って固定装置を所定の幅移動させ、フレキシブルスクリーンを所定の回数押圧することを含む。所定の幅の数量は複数である。すなわち、本実施例において、固定装置を異なる所定の幅で移動させることによってフレキシブルスクリーンを押圧することにより、フレキシブルスクリーンの実際の使用環境を真似し、測定の正確性を向上させることができる。
【００２９】
互いに平行である方向に沿って固定装置を移動させることによりフレキシブルスクリーンを押圧するとき、水平方向、鉛直方向或いは他の方向にフレキシブルスクリーンを押圧することにより、フレキシブルスクリーンを曲げることができる。押圧方向と二個の連結端の連結線方向とが同じである場合、フレキシブルスクリーンは「Ｕ」形に曲げられる。押圧方向と二個の連結端の連結線方向とが異なる場合、フレキシブルスクリーンは「Ｓ」形に曲げられる。本実施例において、フレキシブルスクリーンを押圧することにより、フレキシブルスクリーンを異なる形状に曲げるので、フレキシブルスクリーンの実際の使用環境を真似する真似度を向上させ、測定の正確性を向上させることができる。
【００３０】
本発明の一実施例において、互いに平行である方向に固定装置を移動させることによりフレキシブルスクリーンを押圧するステップは具体的に、まず互いに平行である第一方向に固定装置を移動させることによりフレキシブルスクリーンを押圧した後、次に互いに平行である第二方向に固定装置を移動させることによりフレキシブルスクリーンを押圧することを含むことができる。本実施例において、第一方向と第二方向が垂直であることにより、フレキシブルスクリーンを押圧するとき、操作を簡単にし、効率を向上させることができる。本実施例において、第一方向と第二方向が唯一なものではない。
【００３１】
以下、第一方向と第二方向がいずれも二個の連結端の連結線方向と異なる場合を例として説明する。第一方向に固定装置を移動させることによりフレキシブルスクリーンを押圧するとき、フレキシブルスクリーンは「Ｓ」形に曲げられる。フレキシブルスクリーンが第一方向に押圧されている状態下で、第二方向に固定装置を移動させることによりフレキシブルスクリーンを押圧するか、或いはフレキシブルスクリーンが第一方向に押圧された状態から最初状態に復帰した後、第二方向に固定装置を移動させることによりフレキシブルスクリーンを押圧することもできる。最初状態は押圧試験を行う前のフレキシブルスクリーンの状態をいう。前者の場合、フレキシブルスクリーンが「Ｓ」形に曲げられている状態下で、異なる方向にフレキシブルスクリーンを更に押圧することにより、フレキシブルスクリーンの湾曲半径を改変することができる。後者の場合、所定の方向の押圧によって「Ｓ」形に曲げられたフレキシブルスクリーンが最初状態に復帰した後、異なる方向にフレキシブルスクリーンを押圧することにより、これを「Ｓ」形に再び曲げることができる。いずれの場合でも、フレキシブルスクリーンが押圧される方式の多様性を豊富にし、フレキシブルスクリーンの実際の使用環境をよく真似し、測定の正確性を向上させることができる。
【００３２】
また、フレキシブルスクリーンに対して押圧を行うステップは、固定装置を第一方向に所定の幅移動させることによりフレキシブルスクリーンを第一の所定回数押圧した後、固定装置を第二方向に設定の幅移動させることによりフレキシブルスクリーンを第二の所定回数押圧することであってよい。フレキシブルスクリーンを第一方向と第二方向にそれぞれ複数回押圧することにより、フレキシブルスクリーンの実際の使用環境をよく真似することができる。
【００３３】
所定の幅の数量が複数であるとともに／或いは設定の幅の数量が複数である。以下、所定の幅と設定の幅の数量がいずれも複数であることを例として説明する。所定の幅は幅Ａ、幅Ｂ及び幅Ｃを含み、設定の幅は幅ａ、幅ｂ及び幅ｃを含む。所定の幅がいずれも複数の設定の幅に対応する場合、第一方向に幅Ａ程度にフレキシブルスクリーンを第一の所定回数押圧した後、第二方向に沿って幅ａ、幅ｂ及び幅ｃのうち少なくとも二つの幅程度にフレキシブルスクリーンを第二の所定回数押圧する。第一方向に幅Ｂと幅Ｃ程度にフレキシブルスクリーンを第一の所定回数押圧した後第二方向にフレキシブルスクリーンを押圧する場合も、前例と類似する。第一方向に関しても第二方向に関しても異なる幅にフレキシブルスクリーンを押圧することにより、フレキシブルスクリーンの実際の使用環境をよく真似し、測定の正確性を向上させることができる。
【００３４】
本発明の具体的な実施例において、フレキシブルスクリーンに対する押圧試験は、二個の連結端の連結線方向に固定装置を所定の幅移動させることによってフレキシブルスクリーンを所定の回数押圧することにより、フレキシブルスクリーンを「Ｕ」形の湾曲形に曲げる。第一方向に固定装置を所定の幅移動させることによってフレキシブルスクリーンを第一の所定回数押圧することにより、フレキシブルスクリーンを「Ｓ」形の湾曲形に曲げる。また、第二方向に固定装置を設定の幅移動させることによってフレキシブルスクリーンを第二の所定回数押圧する。
【００３５】
前記フレキシブルスクリーンの曲げ試験方法は、フレキシブルスクリーンを固定装置に連結することによって二個の連結端を形成する。フレキシブルスクリーンに対して押圧試験を行うステップは、固定装置を移動させることにより、固定装置の連結端の間の距離を変化させ、この距離をフレキシブルスクリーンの二個の連結端の間の長さより小さくするか或いは等しくすることを含む。固定装置を移動させることでフレキシブルスクリーンの押圧試験を行うことにより、フレキシブルスクリーンの使用環境を真似し、従来のフレキシブルスクリーンの曲げ試験方法より測定コストを下げることができる。
【００３６】
本発明の一実施例において、ステップＳ１２０の後に下記のステップを更に含むことができる。すなわち、フレキシブルスクリーンに対して性能測定を行うステップを更に含むことができる。
【００３７】
フレキシブルスクリーンに対して性能測定を行うステップは、具体的に、フレキシブルスクリーンに対して押圧試験を行った後、フレキシブルスクリーンの機械信頼性を測定することを含んでよい。
【００３８】
フレキシブルスクリーンの機械信頼性を測定することは、フレキシブルスクリーンの押圧試験を行った後、フレキシブルスクリーンの損壊程度を測定することである。具体的には、走査装置でフレキシブルスクリーンに対して走査測定を行い、測定結果を得た後、フレキシブルスクリーンの損壊程度によってフレキシブルスクリーンを分類することができる。例えば、フレキシブルスクリーンを良品、合格品及び不良品などに分類し、フレキシブルスクリーンの機械信頼性のレベルを標記する。
【００３９】
フレキシブルスクリーンに対して性能測定を行うステップは、フレキシブルスクリーンに対して押圧試験を行うとき或いはフレキシブルスクリーンに対して押圧試験を行った後、フレキシブルスクリーンの光学信頼性及び／或いは電気信頼性を測定することを含んでもよい。
【００４０】
同時に光学測定及び電気測定を行うことを例として説明する。光学測定は、光源でフレキシブルスクリーンを照射し、フレキシブルスクリーンの透光率を測定することである。電気測定は、フレキシブルスクリーン上の半導体部品の電気パラメーターを測定することである。具体的に、半導体パラメーター測定装置をフレキシブルスクリーン上の半導体部品に接続して、電気パラメーターを測定し、フレキシブルスクリーンが曲げられた前後の電気パラメーターの変化を測定する。
【００４１】
すなわち、フレキシブルスクリーンに対して性能測定を行うステップは、フレキシブルスクリーンの機械信頼性、光学信頼性及び電気信頼性のうち一種或いは複数種を測定することであってよい。
【００４２】
本発明はフレキシブルスクリーンの曲げ試験システムも提供する。図２Ａに示すとおり、該システムは固定装置と押圧装置２００を含む（図面には固定装置が示されていない）。
【００４３】
固定装置はフレキシブルスクリーン３００と連結して二個の連結端を形成するために用いる。
【００４４】
固定装置とフレキシブルスクリーン３００との間の連結は、点連結、線連結或いは面連結であることができる。したがって、固定装置に形成された二個の連結端は、連結点、連結線或いは連結面であることができる。
【００４５】
具体的に、固定装置は第一治具と第二治具を含み、これら治具はそれぞれフレキシブルスクリーン３００の対向する両側と連結して二個の連結端を形成することができる。本実施例において、二個の連結端の連結線はフレキシブルスクリーン３００の側辺に垂直である。したがって、フレキシブルスクリーン３００に対して押圧試験を行うとき、連結端の連結線の両側においてフレキシブルスクリーン３００が受ける力が均等になることを確保し、押圧試験の効率を向上させ、かつフレキシブルスクリーン３００が不均等な力によって壊れることを防止することができる。
【００４６】
押圧装置２００は、フレキシブルスクリーン３００に対して押圧試験を行う。押圧装置２００は、固定装置を移動させることにより、固定装置の連結端の間の距離を変化させ、この距離をフレキシブルスクリーン３００の二個の連結端の間の長さより小さくするか或いは等しくして、フレキシブルスクリーン３００に対して押圧試験を行い、フレキシブルスクリーン３００の実際の使用環境を真似する。
【００４７】
本発明の一実施例において、押圧装置２００は具体的に、固定用フレーム２１０と、伸縮可能な第一棒体２２０及び第二棒体２３０と、第一ベース２４０及び第二ベース２５０とを含む。
【００４８】
第一棒体２２０の一端と第二棒体２３０の一端はそれぞれ、第一治具と第二治具に連結される。第一治具及び第二治具と第一棒体２２０及び第二棒体２３０との間の連結は、固定式連結、例えば溶接連結又はネジ連結であるか、或いは可動式連結、例えば固定軸を中心に回転できる回転連結装置による連結であることもできる。本実施例において、第一治具及び第二治具は、第一棒体２２０及び第二棒体２３０と可動式で連結する。従って、フレキシブルスクリーン３００が自由に回転することができ、押圧試験を行うとき、外力によってフレキシブルスクリーン３００が破損することを避け、測定の正確性を向上させることができる。
【００４９】
第一ベース２４０と第二ベース２５０は、プログラム制御型駆動用モータの機能を具備するベースであることができる。第一ベース２４０と第二ベース２５０は、固定用フレーム２１０上に設けられ、固定用フレーム２１０に対して移動することができる。
【００５０】
本実施例において、固定用フレーム２１０は、中空のボックスであるか或いは類似の構造を有するものである。第一ベース２４０と第二ベース２５０はそれぞれ、固定用フレーム２１０内の底部と上部に設けられる。例えば、固定用フレーム２１０内の底部と上部に摺動用レールを設ける場合、第一ベース２４０と第二ベース２５０は摺動用レールによって固定用フレーム２１０に対して移動することができる。
【００５１】
固定用フレーム２１０の具体的な構造、及び第一ベース２４０と第二ベース２５０が固定用フレーム２１０に設けられる具体的な位置は、上述した事項に限定されるものではない。
【００５２】
第一ベース２４０と第二ベース２５０は、それぞれ第一棒体２２０及び第二棒体２３０の他端に連結されることにより、第一棒体２２０及び第二棒体２３０の延伸長さを制御して、二個の連結端の連結線方向にフレキシブルスクリーン３００を押圧する、或いは互いに平行である方向に移動してフレキシブルスクリーン３００を押圧する。
【００５３】
図２Ａ乃至図２Ｃに示すとおり、二個の連結端の連結線方向にフレキシブルスクリーン３００を押圧することにより、フレキシブルスクリーン３００を曲げることができる。より具体的に、フレキシブルスクリーンを「Ｕ」形に曲げることができる。本実施例において、二個の連結端の連結線の方向は鉛直方向である。また、第一ベース２４０と第二ベース２５０は、第一棒体２２０及び第二棒体２３０の延伸長さを制御することにより、二個の連結端の連結線方向に所定の幅程度にフレキシブルスクリーン３００を所定の回数押圧する。所定の幅の数量は複数である。所定の幅は第一棒体２２０及び第二棒体２３０の延伸長さによって決められる。本実施例において、フレキシブルスクリーン３００を異なる所定の幅で押圧するが、フレキシブルスクリーン３００の実際の使用環境をよりよく真似し、測定の正確性を向上させることができる。
【００５４】
第一ベース２４０と第二ベース２５０は、第一棒体２２０及び第二棒体２３０の延伸長さを制御することにより、互いに平行である方向に移動してフレキシブルスクリーン３００を押圧することができる。フレキシブルスクリーン３００を水平方向、鉛直方向或いは他の方向に押圧することにより、フレキシブルスクリーン３００を曲げることができる。押圧方向と二個の連結端の連結線方向とが同じである場合、フレキシブルスクリーン３００は「Ｕ」形に曲げられる。押圧方向と二個の連結端の連結線方向とが異なる場合、フレキシブルスクリーン３００は「Ｓ」形に曲げられる。本実施例において、フレキシブルスクリーン３００を押圧することにより、フレキシブルスクリーンを異なる形状に曲げることができるので、フレキシブルスクリーン３００の実際の使用環境を真似する真似度を向上させ、測定の正確性を向上させることができる。
【００５５】
本発明の一実施例において、第一ベース２４０と第二ベース２５０は第一棒体２２０及び第二棒体２３０の延伸長さを制御することにより、互いに平行である第一方向にフレキシブルスクリーン３００を押圧した後、第一ベース２４０と第二ベース２５０が互いに平行である第二方向に移動してフレキシブルスクリーン３００を押圧する。本実施例において、第一方向と第二方向が垂直であることにより、フレキシブルスクリーン３００を押圧するとき、操作を簡単にし、効率を向上させることができる。本実施例において、第一方向と第二方向が唯一なものではない。
【００５６】
以下、第一方向と第二方向がいずれも二個の連結端の連結線方向と異なることを例として説明する。図３Ａ乃至図３Ｃに示すとおり、第一方向は鉛直方向であり、第二方向は水平方向である。第一ベース２４０と第二ベース２５０が第一棒体２２０及び第二棒体２３０の延伸長さを制御することによって第一方向に移動してフレキシブルスクリーン３００を押圧するとき、フレキシブルスクリーン３００は「Ｓ」形に曲げられる。フレキシブルスクリーン３００が第一方向に押圧されている状態において、第一ベース２４０と第二ベース２５０が固定用フレーム２１０に対して移動することによりフレキシブルスクリーン３００を第二方向に押圧するか、或いはフレキシブルスクリーン３００が第一方向に押圧された状態から最初状態に復帰した後、第一ベース２４０と第二ベース２５０が固定用フレーム２１０に対して移動することによりフレキシブルスクリーン３００を第二方向に押圧することができる。最初状態は押圧試験を行う前のフレキシブルスクリーン３００の状態をいう。前者の場合、フレキシブルスクリーン３００が「Ｓ」形に曲げられている状態において、異なる方向にフレキシブルスクリーン３００を押圧することにより、フレキシブルスクリーン３００の湾曲半径を改変することができる。後者の場合、一つの方向の押圧によって「Ｓ」形に曲げられたフレキシブルスクリーン３００が最初状態に復帰した後、異なる方向にフレキシブルスクリーン３００を押圧することでこれを「Ｓ」形に再び曲げることになる。いずれの場合も、フレキシブルスクリーン３００が押圧される方式の多様性を豊富にし、フレキシブルスクリーン３００の実際の使用環境をよく真似し、測定の正確性を向上させることができる。図３Ａ乃至図３Ｃは、フレキシブルスクリーン３００が第一方向の「Ｓ」形に曲げられている状態において、これを第二方向に押圧することを示す図である。
【００５７】
また、第一ベース２４０と第二ベース２５０が第一棒体２２０及び第二棒体２３０の延伸長さを制御することにより、互いに平行である第一方向に移動してフレキシブルスクリーン３００を第一の所定回数押圧した後、第一ベース２４０と第二ベース２５０が互いに平行である第二方向に移動してフレキシブルスクリーン３００を第二の所定回数押圧する。フレキシブルスクリーン３００を第一方向と第二方向にそれぞれ複数回押圧することにより、フレキシブルスクリーン３００の実際の使用環境をよく真似することができる。
【００５８】
所定の幅の数量が複数であるとともに／或いは設定の幅の数量が複数である。以下、所定の幅と設定の幅の数量がいずれも複数であることを例として説明する。所定の幅は幅Ａ、幅Ｂ及び幅Ｃを含み、設定の幅は幅ａ、幅ｂ及び幅ｃを含む。所定の幅がいずれも複数の設定の幅に対応する場合、第一方向に沿って幅Ａ程度にフレキシブルスクリーン３００を第一の所定回数押圧した後、第二方向に沿って幅ａ、幅ｂ及び幅ｃのうち少なくとも二つの幅程度にフレキシブルスクリーン３００を第二の所定回数押圧する。第一方向に沿って幅Ｂと幅Ｃ程度にフレキシブルスクリーン３００を第一の所定回数押圧した後、第二方向に沿ってフレキシブルスクリーン３００を押圧する場合も前例と類似する。
【００５９】
所定の幅は第一棒体２２０及び第二棒体２３０の延伸長さによって決められ、設定の幅は第一ベース２４０と第二ベース２５０の移動距離によって決められる。所定の幅、設定の幅、第一の所定回数及び第二の所定回数は、実際の需要によって調節することができる。第一方向に関しても第二方向に関しても異なる幅にフレキシブルスクリーン３００を押圧することにより、フレキシブルスクリーン３００の実際の使用環境をよりよく真似し、測定の正確性を向上させることができる。
【００６０】
本発明の具体的な実施例において、第一ベース２４０と第二ベース２５０で第一棒体２２０及び第二棒体２３０の延伸長さを制御し、二個の連結端の連結線方向に所定の幅程度にフレキシブルスクリーン３００を所定の回数押圧して、フレキシブルスクリーン３００を「Ｕ」形に曲げる。第一方向に所定の幅程度にフレキシブルスクリーン３００を第一の所定回数押圧して、フレキシブルスクリーン３００を「Ｓ」形に曲げる。第二方向に沿って設定の幅程度にフレキシブルスクリーン３００を第二の所定回数押圧する。
【００６１】
上述したフレキシブルスクリーンの曲げ試験システムにおいて、固定装置がフレキシブルスクリーン３００と連結して二個の連結端を形成する。押圧装置２００が固定装置を移動させることにより、固定装置の連結端の間の距離を変化させ、この距離をフレキシブルスクリーン３００の二個の連結端の間の長さより小さくするか或いは等しくして、フレキシブルスクリーン３００に対して押圧試験を行う。これにより、フレキシブルスクリーン３００の使用環境を真似し、従来のフレキシブルスクリーンの曲げ装置より測定コストを下げることができる。
【００６２】
本発明の一実施例において、フレキシブルスクリーンの曲げ試験システムは測定装置を更に含むことができ、該測定装置はフレキシブルスクリーン３００に対して性能測定を行う。
【００６３】
フレキシブルスクリーン３００に対して性能測定を行うことは、フレキシブルスクリーン３００の機械信頼性、光学信頼性及び電気信頼性のうち一種或いは複数種を測定することであってよい。性能測定が機械信頼性、光学信頼性及び電気信頼性を測定することを含む場合、測定装置は走査装置、光学測定装置及び電気測定装置を含むことができる。
【００６４】
走査装置は、押圧試験を行った後、フレキシブルスクリーン３００を走査して、フレキシブルスクリーン３００の損壊程度を測定する。測定結果を得た後、フレキシブルスクリーン３００の損壊程度によってフレキシブルスクリーン３００を分類することができる。例えば、フレキシブルスクリーンを良品、合格品及び不良品などに分類し、フレキシブルスクリーン３００の機械信頼性のレベルを標記する。
【００６５】
光学測定装置は、押圧試験を行うとき或いは押圧試験を行った後に、光学信頼性を測定する。例えば、フレキシブルスクリーン３００の透光率を測定する。光学測定装置は具体的に、フレキシブルスクリーン３００の両側に配置されている光源部と検測部を含むことができる。光源部は光信号を出してフレキシブルスクリーン３００を照射し、検測部はフレキシブルスクリーン３００を透過した光信号を受光して、フレキシブルスクリーン３００の透光率を測定する。
【００６６】
電気測定装置は、押圧試験を行うとき或いは押圧試験を行った後に、電気信頼性を測定する。例えば、フレキシブルスクリーン３００の伝導率を測定する。電気測定装置は半導体パラメーター測定装置であってよい。該半導体パラメーター測定装置をフレキシブルスクリーン３００上の半導体部品に接続して、電気パラメーターを測定し、フレキシブルスクリーンが曲げられる前後の電気パラメーターの変化を評価することができる。
【００６７】
以上、本発明の複数の好適な実施例を詳述してきたが、それらの実施例は本発明の例示にしか過ぎないものであるため、本発明はそれらの実施例の構成に限定されるものではない。本技術分野の一般技術者が本発明の要旨を逸脱しない範囲の設計の変更等をしても本発明に含まれることは勿論である。すなわち、本発明の保護範囲は特許請求の範囲を基準にする。
【図１】
0006449890.tif 000002
【図２Ａ】
0006449890.tif 000003
【図２Ｂ】
0006449890.tif 000004
【図２Ｃ】
0006449890.tif 000005
【図３Ａ】
0006449890.tif 000006
【図３Ｂ】
0006449890.tif 000007
【図３Ｃ】
0006449890.tif 000008